(57)【要約】【課題】ユーザーがカードを強く押しすぎることがないようにすると共に、カード挿入口部分の設計自由度を高くする。【解決手段】カードホルダ装置１は、前記ホルダ本体２に、挿入されたカードを着脱可能に保持した状態で矢印Ａ、Ｂ方向へ移動するカード保持体３と、矢印Ｃ、Ｄ方向に移動可能に設けられた移動部材５と、この移動部材５を矢印Ｃ方向へ移動付勢する引っ張りばね６と、上がり傾斜部７ａ及び下がり傾斜部７ｂを有するカム部７と、前記カード保持体に設けられた摺動部８と、所定位置に移動したカード保持体３を排出方向へ移動させるカード排出手段９とを備えてなる。【選択図】図１
2007199833.tif 000002
【特許請求の範囲】
【請求項１】
ホルダ本体の所定位置までカードを排出可能に挿入して前記ホルダに配置するためのカードホルダ装置であって、
前記ホルダ本体に、前記カードの挿入方向及びその反対方向へ移動可能に設けられ、挿入されたカードを着脱可能に保持した状態で移動するカード保持体と、
前記ホルダ本体に、前記カードの挿入方向と直交する方向に移動可能に設けられた移動部材と、
この移動部材を前記直交する方向のうち一方向へ移動付勢する付勢部材と、
前記移動部材の前記一方向側の部分に設けられ、上がり傾斜部及び下がり傾斜部を有するカム部と、
前記カード保持体に設けられ、前記カム部の上がり傾斜部及び下がり傾斜部に対して摺動が可能で、カード保持体の前記挿入方向への移動時に前記カム部の上がり傾斜部を摺動して前記移動部材を前記付勢部材の付勢力に抗して前記一方向と反対方向に移動させ、当該上がり傾斜部を超えて前記下がり傾斜部に至ると前記付勢手段による移動部材の一方向へ移動により、さらに挿入方向に移動して前記カード保持体を前記所定位置に移動させる摺動部と、
前記所定位置に移動したカード保持体を排出方向へ移動させるカード排出手段と
を備えてなるカードホルダ装置。
【請求項２】
請求項１に記載のカードホルダ装置において、
前記カム部はその上がり傾斜部及び下がり傾斜部がほぼ直線状をなして全体として山形状をなすことを特徴とするカードホルダ装置。
【請求項３】
請求項１に記載のカードホルダ装置において、
前記カム部の上がり傾斜部が、円弧凹状をなすことを特徴とするカードホルダ装置。
【請求項４】
請求項１に記載のカードホルダ装置において、
前記カム部の上がり傾斜部が円弧凹状をなし、且つ下がり傾斜部が円弧凸状をなすことを特徴とするカードホルダ装置。
【請求項５】
請求項１に記載のカードホルダ装置において、
前記カード排出手段は、前記カード保持体を排出方向へ移動させる構成であることを特徴とするカードホルダ装置。
【請求項６】
請求項１に記載のカードホルダ装置において、
前記移動部材は、カードの挿入方向と直交する方向に移動可能であり、且つ回転可能であり、
前記カード排出手段は、排出部材を備え、この排出部材を前記カードの挿入方向へ操作することにより、前記移動部材を回転させて前記カード保持体を排出方向と同方向へ移動させる構成であることを特徴とするカードホルダ装置。
【請求項７】
請求項６に記載のカードホルダ装置において、
前記移動部材には、当該移動部材を回転させるための被係合部が形成され、
前記排出部材に前記被係合部と係合して前記移動部材を回転させる係合部が設けられていることを特徴とするカードホルダ装置。
【請求項８】
請求項６に記載のカードホルダ装置において、
前記移動部材には、当該移動部材の前記直交する方向への移動と、回転とを許容する特異形状の孔部が形成され、
前記ホルダ本体には、この孔部内に位置して前記移動部材の前記移動及び回転をガイドするガイドピンが設けられ、
前記移動部材の孔部には、前記付勢手段の付勢力をこの移動部材に及ぼすための付勢用ピンが移動可能に設けられていることを特徴とするカードホルダ装置。
【発明の詳細な説明】
【技術分野】
【０００１】
本発明は、ＥＴＣ（Electronic TollCollection：自動料金収受）システムの車載器などに用いられるカードホルダ装置に関する。
【背景技術】
【０００２】
従来、ＥＴＣシステムの車載器では、カードたるＩＣカード（いわゆるＥＴＣカード）を排出可能に挿入装着するカードホルダ装置を備えている。従来のカードホルダ装置は、ホルダ本体を備え、このホルダ本体に、ＩＣカードを、ユーザーが所定位置（最終位置）まで目一杯押し込むようになっている（例えば特許文献１）。
【特許文献１】特開２０００−３１１７４５号公報
【発明の開示】
【発明が解決しようとする課題】
【０００３】
上記従来では、ユーザーがＩＣカードを最後まで挿入しなければならない。このため、ＩＣカードを強く押しすぎるおそれもあった。また、図１９に示すように、車載器３１のカード挿入口３２の一部に凹部３２ａを形成する必要があった。つまり、カード挿入口部分の設計に制約があり、形状変更も難しい。上記車載器３１は車両の適宜部位に取り付けられるタイプであるが、図２０に示すように、車両のルームミラー３３に内蔵された車載器でも、前記凹部３２ａを形成しなければならず、外観が悪くなり、また、ＩＣカードがミラーに存在することがすぐに分かるため、セキュリティー上好ましくない。
【０００４】
本発明は上述の事情に鑑みてなされたものであり、その目的は、ユーザーがカードを強く押しすぎることがないと共に、カード挿入口部分の設計自由度も高くなるカードホルダ装置を提供することにある。
【課題を解決するための手段】
【０００５】
上記目的を達成するために、請求項１の発明は、ホルダ本体の所定位置までカードを排出可能に挿入して前記ホルダに配置するためのカードホルダ装置であって、前記ホルダ本体に、前記カードの挿入方向及びその反対方向へ移動可能に設けられ、挿入されたカードを着脱可能に保持した状態で移動するカード保持体と、前記ホルダ本体に、前記カードの挿入方向と直交する方向に移動可能に設けられた移動部材と、この移動部材を前記直交する方向のうち一方向へ移動付勢する付勢部材と、前記移動部材の前記一方向側の部分に設けられ、上がり傾斜部及び下がり傾斜部を有するカム部と、前記カード保持体に設けられ、前記カム部の上がり傾斜部及び下がり傾斜部に対して摺動が可能で、カード保持体の前記挿入方向への移動時に前記カム部の上がり傾斜部を摺動して前記移動部材を前記付勢部材の付勢力に抗して前記一方向と反対方向に移動させ、当該上がり傾斜部を超えて前記下がり傾斜部に至ると前記付勢手段による移動部材の一方向へ移動により、さらに挿入方向に移動して前記カード保持体を前記所定位置に移動させる摺動部と、前記所定位置に移動したカード保持体を排出方向へ移動させるカード排出手段とを備えてなる。
【０００６】
これによれば、ユーザーがカードを挿入すると、カード保持体にカードが保持されて当該カード保持体がカードと共に移動する。そして、カード保持体の摺動部がカム部の上がり傾斜部を摺動する。このとき摺動部はこの上がり傾斜部を押圧して移動部材を前記付勢部材の付勢力に抗して前記一方向と反対方向に移動させる。この後、この摺動部が当該上がり傾斜部を超えて前記下がり傾斜部に至ると、前記付勢手段により移動部材が一方向へ移動する。これによりユーザーが挿入を解除しても、摺動部が前記カード保持体と共に、さらに挿入方向に移動し、前記カード保持体を前記所定位置に移動させる。つまり、ユーザーはカードを途中まで挿入すると、その後はカードが自動的にホルダ本体内の所定位置まで引き込まれることになる。この結果、ユーザーがカードを最後まで押す必要がなく、強く押しすぎることがないと共に、カード挿入口部分の設計自由度も高くなる。
【０００７】
また、カードを取り出す時には、ユーザーが排出手段により、カード保持体を付勢手段の付勢力に抗して排出方向へ移動させる。このとき、挿入時と逆に、摺動部が下がり傾斜部を押圧して移動部材を一方向と反対方向へ移動させることになり、この摺動部が下がり傾斜部を超えて上がり傾斜部に至ると、ユーザーが排出操作を解除しても前記付勢手段により移動部材が一方向へ移動し、摺動部が排出方向へ自動的に移動し、カードが排出される。従って、カード排出時において、排出手段を途中まで操作すれば、その後カードを自動的に排出できる。なお、この排出手段はユーザーの直接操作で動作させても良いし、別の駆動源により動作させても良いものである。
【０００８】
この場合、前記カム部を、その上がり傾斜部及び下がり傾斜部がほぼ直線状をなして全体的に山形をなす構成としても良い（請求項２の発明）。このようにすると、カード挿入開始から、カードの自動引き込みまで、操作力がほぼ一定となり、また、カードの自動引き込み速度もほぼ一定速度となる。
また、前記カム部の上がり傾斜部を円弧凹状に構成しても良い（請求項３の発明）。このようにすると、カードの操作力が最初は軽く、下がり傾斜部を超える直前でやや重くなるから、適度な操作節度感が得られ、また、素早い挿入が可能である。カード排出時には、カードの自動排出が素早くなる。
【０００９】
また、前記カム部の上がり傾斜部を円弧凹状に構成し、且つ下がり傾斜部を円弧凸状に構成しても良い（請求項４の発明）。このようにすると、カード排出開始時に、排出部材による排出がスロー動作となり、その後の自動排出が素早くなり、つまり、スローな排出動作から素早い自動排出動作が可能となる。
また、前記カード排出手段は、前記カード保持体を排出方向へ移動させる構成としても良い（請求項５の発明）。このようにすると、カードの排出を容易且つ簡単に行うことができる。
【００１０】
さらに、前記移動部材を、カードの挿入方向と直交する方向に移動可能であると共に回転可能に構成し、前記カード排出手段が、排出部材を備え、この排出部材を前記カードの挿入方向と同方向へ操作することにより、前記移動部材を回転させて前記カード保持体を排出方向へ移動させる構成としても良い（請求項６の発明）。このようにすると、排出部材の操作方向とカードの挿入方向とを合わせることができる。
この場合、前記移動部材に、当該移動部材を回転させるための被係合部を形成し、前記排出部材に前記被係合部と係合して前記移動部材を回転させる係合部を設ける構成としても良い（請求項７の発明）。このようにすると、移動部材を確実に回転させることができて、カード排出を確実に行うことができる。
【００１１】
さらにこの場合、前記移動部材に、当該移動部材の前記直交する方向への移動と、回転とを許容する特異形状の孔部を形成し、前記ホルダ本体に、この孔部内に位置して前記移動部材の前記移動及び回転をガイドするガイドピンを設け、前記移動部材の孔部に、前記付勢手段の付勢力をこの移動部材に及ぼすための付勢用ピンを移動可能に設ける構成としても良い（請求項８の発明）。このようにすると、移動部材に対する付勢力付与と、移動部材の移動と回転とを円滑に行なうことができるようになる。
【発明を実施するための最良の形態】
【００１２】
以下、本発明の第１の実施例について図１ないし図８を参照して説明する。図２には、カードホルダ装置１の全体構成を示している。図１及び図３には、ホルダ本体２の一部（上部）を切除した形態で示している。また図４、図5には異なる断面を示している。この図１ないし図５において、ホルダ本体２は、ほぼ偏平矩形状をなしており、これは、例えばＥＴＣシステムの車載器内に組み込まれるものであり、その一端部は挿入口部２ａとされている。このホルダ本体２の底部にはカード保持体３が矢印Ａ方向（カード挿入方向）とその反対方向である矢印Ｂ方向（カード排出方向）に移動可能に設けられている。図１の状態では、ストッパ２ｂにより矢印Ｂ方向へのそれ以上の移動が阻止されている。
【００１３】
このカード保持体３は、カード４の一端部側の挿入を許容して保持するためのものであり、このカード保持体３には、カード４を保持するための保持手段たる板ばね３ａ、３ａが設けられている。このホルダ本体２は、挿入されたカード４を板ばね３ａ、３ａにより着脱可能に保持した状態で移動する。なお、上記カード４は挿入配置された状態で車載器の制御部と無線通信が可能で、必要な情報を授受する。
【００１４】
このホルダ本体２の上板部２ｃ、２ｄ間には、移動部材移動用の配置空間部２ｅが形成されており、これら上板部２ｃ、２ｄの対向縁部には、移動部材５が、カード４の挿入方向と直交する方向（矢印Ｃ方向及びその反対の矢印Ｄ方向、つまり排出方向）に移動可能に嵌合されている。
この移動部材５とホルダ本体２との間には、当該移動部材５を前記直交する方向のうち一方向である矢印Ｃ方向へ移動付勢する付勢部材たる引っ張りばね６が設けられている。この移動部材５の前記一方向側である矢印Ｃ方向側の部分には、上がり傾斜部７ａ及び下がり傾斜部７ｂを有するカム部７が形成されている。なお、上がり傾斜部７ａは挿入方向から見て上がり傾斜しており、下がり傾斜部７ｂは同様に挿入方向から見て下がり傾斜している。
【００１５】
このカム部７は、その上がり傾斜部７ａ及び下がり傾斜部７ｂがほぼ直線状をなして全体として山形状をなす。
前記カード保持体３の矢印Ａ方向側の端部３ｂには、ピン状の摺動部８設けられている。この摺動部８は、移動部材５の移動に伴って、直線的に移動し、その移動軌跡において前記カム部７の上がり傾斜部７ａ及び下がり傾斜部７ｂと遭遇し摺動する。
【００１６】
前記ホルダ本体２の底部には、排出部材配置孔部２ｆが形成されている。この排出部材配置孔部２ｆの対向縁部２ｇ、２ｈに、カード排出手段９を構成する棒状の排出部材９ａが矢印Ｂ方向及び矢印Ａ方向へ移動可能に嵌合されている。この排出部材９ａは、操作部９ｂを有する。
上述のように構成したカードホルダ装置１は、図８に示すように車両のルームミラー１０に内蔵されたＥＴＣシステムの車載器に組み込まれており、当該ルームミラー１０におけるカード挿入口１０ａに従来の凹部は無い。
【００１７】
さて、上記構成のカードホルダ装置１の作用について述べる。図１の状態から、ユーザーがカード４を矢印Ａ方向へ挿入する。すると、カード保持体３にカード４が保持されて、当該カード保持体３がカード４と共に矢印Ａ方向へ移動する。そして、カード保持体３の摺動部８がカム部７の上がり傾斜部７ａを摺動する。このとき摺動部８はこの上がり傾斜部７ａを押圧して移動部材５を前記引っ張りばね６のばね力（付勢力）に抗して矢印Ｄ方向に移動させる。この後、この摺動部８が当該上がり傾斜部７ａを超えて（図６の状態を経て）、前記下がり傾斜部７ｂに至ると、引っ張りばね６により移動部材５が矢印Ｃ方向へ移動する。これによりユーザーが挿入を解除しても、摺動部８が前記カード保持体３と共に、さらに挿入方向に移動し、前記カード保持体３を前記所定位置に移動させる（図７参照）。つまり、ユーザーはカード４を途中まで挿入すると、その後はカード４が自動的にホルダ本体２内の所定位置まで引き込まれることになる。この結果、ユーザーがカード４を最後まで押す必要がなく、強く押しすぎることがないと共に、カード挿入口１０ａ部分の設計自由度も高くなる。
【００１８】
なお、図１におけるカード４の位置Ｐ１は、図８の位置Ｐ１に対応し、同様に、図６の位置Ｐ２は図８の位置Ｐ２に対応し、図７の位置Ｐ３は図８の位置Ｐ３に対応する。図８の位置Ｐ２までユーザーがカード４を挿入すれば、あとはカード４が自動的に引き込まれることになる。
また、カード４を取り出す時には、図７の状態から、ユーザーがカード排出手段９の排出部材９ａを矢印Ｂ方向へ移動操作する。すると、当該排出部材９ａがカード保持体３に当接して、該カード保持体３を引っ張りばね６ばね力に抗して矢印Ｂ方向（排出方向）へ移動させる。このとき、挿入時と逆に、摺動部８が下がり傾斜部７ｂを押圧して移動部材５を矢印Ｄへ移動させることになり、この摺動部８が下がり傾斜部７ｂを超えて上がり傾斜部７ａに至ると、ユーザーが排出操作を解除しても、引っ張りばね６により移動部材５が矢印Ｃ方向へ移動し、これにより、摺動部８が排出方向へ自動的に移動し、カード４が排出される。従って、カード排出時において、カード排出手段９の排出部材９ａを途中まで操作すれば、その後カード４を自動的に排出できる。
【００１９】
このように本実施例によれば、ユーザーはカード４を途中まで挿入すると、その後はカード４が自動的にホルダ本体２内の所定位置まで引き込まれることになり、この結果、ユーザーがカード４を最後まで押す必要がなく、強く押しすぎることがないと共に、カード挿入口１０ａ部分の設計自由度を高くできる。
この場合、本実施例によれば、前記カム部７を、その上がり傾斜部７ａ及び下がり傾斜部７ｂがほぼ直線状をなして全体的に山形をなす構成としたから、カード４挿入開始から、カード４の自動引き込みまで、操作力がほぼ一定となり、また、カード４の自動引き込み速度もほぼ一定速度となる。
また本実施例によれば、カード排出手段９が、カード保持体３を排出方向へ移動させる構成としているから、カード４の排出を容易且つ簡単に行うことができる。
【００２０】
図９は本発明の第２の実施例を示し、カム部７の形状が上記第１の実施例と異なる。すなわち、カム部７の上がり傾斜部７ａを円弧凹状に構成している。また、下がり傾斜部７ｂを円弧凸状に構成している。上記上がり傾斜部７ａの曲面は、
ｙ＝ｘｎ
で示され、
上記下がり傾斜部７ｂの曲面は、
ｙ＝logｘｎ
で示される。
【００２１】
このように、カム部７の上がり傾斜部７ａを円弧凹状に構成した実施例によれば、カード４の挿入操作力が最初は軽く、下がり傾斜部を超える直前でやや重くなるから、適度な操作節度感が得られ、また、素早い挿入が可能である。またカード排出時には、カード４の自動排出が素早くなる。
さらにこの実施例では、下がり傾斜部７ｂを円弧凸状に構成したから、カード排出開始時に、排出部材９ａによる排出がスロー動作となる。その後の自動排出は上述したように上がり傾斜部７ａを円弧凹状であるので、素早くなり、つまり、スローな排出動作から素早い自動排出動作が可能となる。
【００２２】
図１０ないし図１７は本発明の第３の実施例を示しており、第１の実施例と異なる部分について説明する。ホルダ本体１１の天板部１１ａには、下向きにガイドピン１２が突設されている。さらに、この天板部１１ａの下面両縁には長尺な保持爪１１ｂ、１１ｂが矢印Ｃ方向及び矢印Ｄ方向に沿って形成されている。この保持爪１１ｂ、１１ｂに移動部材１３の上部の円形板部１３ａが移動可能及び回転可能に嵌合されている。
【００２３】
この移動部材１３の上記円形板部１３ａの下側には、図１４ないし図１６に示すように、矢印Ｃ方向側の部位に上がり傾斜部１４ａ及び下がり傾斜部１４ｂを有するカム部１４が形成されている。さらに、この移動部材１３を回転させるための被係合部１５ａ、１５ｂが形成されている。
また、この移動部材１３のほぼ中央には、当該移動部材１３の移動と回転とを許容する特異形状の孔部１６が形成され、この孔部１６に前記ガイドピン１２が挿入配置されている。さらに、この移動部材１３には引っ張りばね６との干渉しないように横方向の溝部１７が形成されている。この引っ張りばね６の一端部はホルダ本体１１に連結され、他端部には付勢用ピン１８が連結されている。
【００２４】
この付勢用ピン１８は前記孔部１６に移動可能に挿入配置されており、引っ張りばね６は前記溝部１７内に位置する。なお、溝部１７によって孔部１６は上孔部１６ａ及び下孔部１６ｂに分離されているが、前記ガイドピン１２及び付勢用ピン１８はこれら上孔部１６ａ及び下孔部１６ｂに跨って配置されている。
カード排出手段１９は、棒状の排出部材２０を備えており、この排出部材２０は、矢印Ａ方向及び矢印Ｂ方向へ移動可能に設けられている。この排出部材２０の一端部には前記移動部材１３の被係合部１５ａ、１５ｂとそれぞれ係合する係合部２０ａ、２０ｂが形成されている。さらにこの排出部材２０の他端部には、ホルダ本体１１のガイド孔１１ｃから突出する形態で操作部２０ｃが設けられている。
【００２５】
上記構成の作用を説明する。図１１及び図１７（ａ）の状態において、移動部材１３は引っ張りばね６により矢印Ｃ方向に付勢されている。この状態からユーザーがカード４を矢印Ａ方向へ挿入する。すると、カード保持体３にカード４が保持されて、当該カード保持体３がカード４と共に矢印Ａ方向へ移動する。そして、カード保持体３の摺動部８がカム部１４の上がり傾斜部１４ａを摺動する。このとき摺動部８はこの上がり傾斜部１４ａを押圧して移動部材１３を前記引っ張りばね６のばね力（付勢力）に抗して矢印Ｄ方向に移動させる（図１７（ｂ）参照）。この後、この摺動部８が当該上がり傾斜部１４ａを超えて、前記下がり傾斜部１４ｂに至ると、引っ張りばね６により移動部材１３が矢印Ｃ方向へ移動する。これによりユーザーが挿入を解除しても、摺動部８が前記カード保持体３と共に、さらに挿入方向に移動し、前記カード保持体３を前記所定位置に移動させる（図１７（ｃ）参照）。つまり、ユーザーはカード４を途中まで挿入すると、その後はカード４が自動的にホルダ本体２内の所定位置まで引き込まれることになる。この結果、ユーザーがカード４を最後まで押す必要がなく、強く押しすぎることがないと共に、前記カード挿入口１０ａ（図８）部分の設計自由度も高くなる。
【００２６】
また、カード４を取り出す時には、図１７（ｄ）の状態から、ユーザーがカード排出手段１９の排出部材２０を矢印Ａ方向へ移動操作する。すると、当該排出部材２０の係合部２０ａが移動部材１３の被係合部１５ａと当接係合して当該係合部１５ａを矢印Ｅ方向へ回転させる。さらに排出部材２０を矢印Ａ方向へ移動操作すると、当該排出部材２０の係合部２０ｂが移動部材１３の被係合部１５ｂと当接係合して当該係合部１５ｂを矢印Ｅ方向へ回転させる。
【００２７】
これにより移動部材１３が回転する。この回転に伴って、摺動部８が図１７（ｅ）〜図１７（ｇ）に示すように下がり傾斜部１４ｂを摺動して、結果的に矢印Ｂ方向へ移動し、カード保持体３が矢印Ｂ方向（排出方向）へ移動する。これにて、カード４が排出される。
そして、図１７（ｇ）の状態から排出部材２０を若干矢印Ａ方向へ操作して移動部材１３を矢印Ｅ方向へ回転させると、摺動部８が上がり傾斜部１４ａに至り、その状態で矢印Ｂ方向へ操作すると、図１７（ａ）の状態に戻る。
【００２８】
このような第３の実施例によれば、移動部材１３を、カード４の挿入方向と直交する方向に移動可能であると共に回転可能に構成し、前記カード排出手段１９が、排出部材２０を備え、この排出部材２０を前記カード４の挿入方向と同方向へ操作することにより、前記移動部材１３を回転させて前記カード保持体３を排出方向へ移動させる構成としたから、排出部材２０の操作方向とカード４の挿入方向とを合わせることができる。
【００２９】
この場合、前記移動部材１３に、当該移動部材１３を回転させるための被係合部１５ａ、１５ｂを形成し、前記排出部材２０に前記被係合部１５ａ、１５ｂと係合して前記移動部材１３を回転させる係合部２０ａ、２０ｂを設ける構成としたから、移動部材１３を確実に回転させることができて、カード排出を確実に行うことができる。
さらにこの場合、前記移動部材１３に、当該移動部材１３の移動と、回転とを許容する特異形状の孔部１６を形成し、前記ホルダ本体１１に、この孔部１６内に位置して前記移動部材１３の前記移動及び回転をガイドするガイドピン１２を設け、前記移動部材１３の孔部１６に、引っ張りばね６ばね力をこの移動部材１３に及ぼすための付勢用ピン１８を移動可能に設ける構成としたから、移動部材１３に対する付勢力付与と、当該移動部材１３の移動と回転とを円滑に行なうことができる。
【００３０】
なお、本発明の実施例は上記した各実施例に限定されず、種々変更して実施できる。例えば、本発明の第４の実施例として示す図１８のように、カードホルダ装置１は運転席前方のインストルメントパネルに設けるようにしても良く、この場合、カード排出については排出手段を例えばモータなどの駆動源により動作させるようにしても良い。また、カム部の上がり傾斜部及び下がり傾斜部の形状も種々変形が可能であり、排出手段は、モータなどの駆動源を備えた構成でも良い。
【図面の簡単な説明】
【００３１】
【図１】本発明の第１の実施例を示すカードホルダ装置の横断平面図
【図２】カードホルダ装置の斜視図
【図３】移動部材を省略して示すカードホルダ装置の一部破断斜視図
【図４】図１のＳ−Ｓ線断面図
【図５】図１のＴ−Ｔ線断面図
【図６】動作説明のための図１相当図
【図７】動作説明のための図１相当図
【図８】車両のルームミラーの正面図
【図９】本発明の第２の実施例を示す図１相当図
【図１０】図２相当図
【図１１】本発明の第３の実施例を示す図１相当図
【図１２】図１１のＵ−Ｕ線断面図
【図１３】図１１のＶ−Ｖ線断面図
【図１４】移動部材部分の分解側面図
【図１５】移動部材部分の横断平面図
【図１６】移動部材の斜視図
【図１７】（ａ）〜（ｇ）は動作説明のための移動部材部分の平面図
【図１８】本発明の第４の実施例を示す車両の運転席前方部分の斜視図
【図１９】従来例を示す車載器の斜視図
【図２０】別の従来例を示すルームミラーの正面図
【符号の説明】
【００３２】
図面中、１はカードホルダ装置、２はホルダ本体、３はカード保持体、４はカード、５は移動部材、６は引っ張りばね（付勢手段）、７はカム部、７ａは上がり傾斜部、７ｂは下がり傾斜部、８は摺動部、９はカード排出手段、９ａは排出部材、１０はルームミラー、１１はホルダ本体、１２はガイドピン、１３は移動部材、１４はカム部、１４ａは上がり傾斜部、１４ｂは下がり傾斜部、１５ａ、１５ｂは被係合部、１６は孔部、１８は付勢用ピン、１９は排出手段、２０は排出部材、２０ａ、２０ｂは係合部である。
【図１】
2007199833.tif 000003
【図２】
2007199833.tif 000004
【図３】
2007199833.tif 000005
【図４】
2007199833.tif 000006
【図５】
2007199833.tif 000007
【図６】
2007199833.tif 000008
【図７】
2007199833.tif 000009
【図８】
2007199833.tif 000010
【図９】
2007199833.tif 000011
【図１０】
2007199833.tif 000012
【図１１】
2007199833.tif 000013
【図１２】
2007199833.tif 000014
【図１３】
2007199833.tif 000015
【図１４】
2007199833.tif 000016
【図１５】
2007199833.tif 000017
【図１６】
2007199833.tif 000018
【図１７】
2007199833.tif 000019
【図１８】
2007199833.tif 000020
【図１９】
2007199833.tif 000021
【図２０】
2007199833.tif 000022